(57)【要約】【課題】建設機械を使用して破砕作業を行なう際に発生する粉塵の拡散をより確実に抑制することができる防塵用散水装置および方法を提供する。【解決手段】建設機械２０のアーム２４の先端部に装着されたアタッチメント２５またはその近傍に第１散水手段２を設け、アーム２４の長手方向に対して第１散水手段２よりも後端の位置に第２散水手段３を設ける。第１散水手段２および第２散水手段３は、フレキシブルチューブ４ａとガイドフィン４ｂとを有する散水ノズル４で構成する。そして、破砕作業時には、第１散水手段２によって水Ｗを散布することにより、水Ｗによって覆われる第１拡散防止空間Ｎ１を形成するとともに、第２散水手段３によって水Ｗを散布することにより、水Ｗによって覆われる第２拡散防止空間Ｎ２を形成し、第１拡散防止空間Ｎ１を第２拡散防止空間Ｎ２によって覆った状態にする。【選択図】図１
2018145689.tif 000002
【特許請求の範囲】
【請求項１】
建設機械のアームの先端部に装着されたアタッチメントまたはその近傍に配置される第１散水手段を備えた防塵用散水装置において、
前記アームの長手方向に対して前記第１散水手段よりも後端の位置に配置される第２散水手段を備え、前記第１散水手段および前記第２散水手段が、噴出口を先端に有するフレキシブルチューブと、このフレキシブルチューブの後端部に一体的に設けられた外側に張り出した薄板状のガイドフィンとを有する散水ノズルで構成され、前記第１散水手段の周囲に前記第１散水手段により散布された水によって覆われる第１拡散防止空間が形成された状態になり、前記第２散水手段の周囲に前記第２散水手段により散布された水によって覆われる第２拡散防止空間が形成されて、前記第２拡散防止空間が前記第１拡散防止空間を覆う状態になることを特徴とする防塵用散水装置。
【請求項２】
前記第２散水手段が前記アームの後端部に配置される請求項１に記載の防塵用散水装置。
【請求項３】
前記散水ノズルが、前記噴出口の噴出方向を変更可能とする回動機構を有している請求項１または２に記載の防塵用散水装置。
【請求項４】
前記建設機械の前記散水ノズルが配置される部位と、前記散水ノズルとの間に介在する緩衝材を有する請求項１〜３のいずれかに記載の防塵用散水装置。
【請求項５】
前記第１散水手段および前記第２散水手段に水を供給する水供給手段が、前記建設機械の上部旋回体に設置される貯水タンクと、この貯水タンクから前記散水ノズルに水を送り込む供給ポンプと、前記建設機械の操縦席に設置され、前記供給ポンプによる水の供給のオンオフの切り替えを行うスイッチと、前記建設機械からの電力を前記供給ポンプおよび前記スイッチに供給する送電手段とで構成された請求項１〜４のいずれかに記載の防塵用散水装置。
【請求項６】
建設機械のアームの先端部に装着されたアタッチメントまたはその近傍に第１散水手段を設け、前記第１散水手段によって水を散布することにより、破砕作業時における粉塵の拡散を抑制する防塵用散水方法であって、
前記アームの長手方向に対して前記第１散水手段よりも後端の位置に第２散水手段を設け、前記第１散水手段および前記第２散水手段を噴出口を先端に有するフレキシブルチューブと、このフレキシブルチューブの後端部に一体的に設けられた外側に張り出した薄板状のガイドフィンとを有する散水ノズルで構成し、前記第１散水手段の周囲に前記第１散水手段によって水を散布することにより、水によって覆われる第１拡散防止空間を形成し、前記第２散水手段の周囲に前記第２散水手段によって水を散布することにより、水によって覆われる第２拡散防止空間を形成し、前記第１拡散防止空間を前記第２拡散防止空間によって覆った状態にすることを特徴とする防塵用散水方法。
【発明の詳細な説明】
【技術分野】
【０００１】
本発明は、防塵用散水装置および方法に関し、さらに詳しくは、建設機械を使用して破砕作業を行なう際に発生する粉塵の拡散をより確実に抑制することができる防塵用散水装置および方法に関するものである。
【背景技術】
【０００２】
解体現場や石材採石場では、アームの先端部にブレーカや圧砕機などのアタッチメント（破砕機）を装着した建設機械を使用して、コンクリート塊や岩石などの破砕作業を行なっている。アタッチメントでコンクリート塊などを破砕する際には、大量の粉塵が発生する。そのため、破砕領域に作業者が散水することで粉塵の拡散を抑制している。しかし、この方法では、建設機械のオペレータの他に散水するための作業員が必要になる。
【０００３】
そこで、散水を行う作業員を必要とすることなく、粉塵の飛散を抑制できる装置や方法が種々提案されている（例えば、特許文献１および特許文献２参照）。特許文献１では、建設機械の作業アタッチメントの先端部に、アタッチメントの回動に同調して散水方向が変化する散水ノズルを設けた装置が提案されている。この提案の装置では、破砕箇所およびその近傍の狭い範囲に散水されるだけである。それ故、破砕作業に伴う振動や、周辺の崩落などによって発生する破砕箇所の周辺領域における粉塵の拡散は抑制できない。
【０００４】
特許文献２では、セッケンや洗剤類を水に混入した発泡剤混入水を破砕対象物に散布し、泡によって粉塵の飛散を防止する破砕作業機の防塵装置が提案されている。この防塵装置においても、破砕箇所の周辺領域における粉塵の拡散を十分に抑制することはできない。また、この防塵装置では、破砕対象物や土壌に対してセッケンや洗剤類を大量に散布することになるので、破砕対象物の品質や土壌環境に悪影響を与える可能性がある。
【先行技術文献】
【特許文献】
【０００５】
【特許文献１】特開２０１０−４６６３１号公報
【特許文献２】特開２０００−３０１０２０号公報
【発明の概要】
【発明が解決しようとする課題】
【０００６】
本発明の目的は、建設機械を使用して破砕作業を行なう際に発生する粉塵の拡散をより確実に抑制することができる防塵用散水装置および方法を提供することにある。
【課題を解決するための手段】
【０００７】
上記目的を達成するため、本発明の防塵用散水装置は、建設機械のアームの先端部に装着されたアタッチメントまたはその近傍に配置される第１散水手段を備えた防塵用散水装置において、前記アームの長手方向に対して前記第１散水手段よりも後端の位置に配置される第２散水手段を備え、前記第１散水手段および前記第２散水手段が、噴出口を先端に有するフレキシブルチューブと、このフレキシブルチューブの後端部に一体的に設けられた外側に張り出した薄板状のガイドフィンとを有する散水ノズルで構成され、前記第１散水手段の周囲に前記第１散水手段により散布された水によって覆われる第１拡散防止空間が形成された状態になり、前記第２散水手段の周囲に前記第２散水手段により散布された水によって覆われる第２拡散防止空間が形成されて、前記第２拡散防止空間が前記第１拡散防止空間を覆う状態になることを特徴とする。
【０００８】
本発明の防塵用散水方法は、建設機械のアームの先端部に装着されたアタッチメントまたはその近傍に第１散水手段を設け、前記第１散水手段によって水を散布することにより、破砕作業時における粉塵の拡散を抑制する防塵用散水方法であって、前記アームの長手方向に対して前記第１散水手段よりも後端の位置に第２散水手段を設け、前記第１散水手段および前記第２散水手段を噴出口を先端に有するフレキシブルチューブと、このフレキシブルチューブの後端部に一体的に設けられた外側に張り出した薄板状のガイドフィンとを有する散水ノズルで構成し、前記第１散水手段の周囲に前記第１散水手段によって水を散布することにより、水によって覆われる第１拡散防止空間を形成し、前記第２散水手段の周囲に前記第２散水手段によって水を散布することにより、水によって覆われる第２拡散防止空間を形成し、前記第１拡散防止空間を前記第２拡散防止空間によって覆った状態にすることを特徴とする。
【発明の効果】
【０００９】
本発明の防塵用散水装置および方法によれば、破砕作業時に、第１散水手段によって水を散布し、水によって覆われる第１拡散防止空間を形成することで、破砕箇所およびその近傍における粉塵の飛散を抑制することができる。さらに、アームの長手方向に対して第１散水手段よりも後端の位置に配置される第２散水手段によって水を散布し、水によって覆われる第２拡散防止空間を第１拡散防止空間を覆うように形成することで、破砕箇所の近傍のみならず、破砕作業に伴う振動や周辺の崩落などによって発生する破砕箇所の周辺領域における粉塵の拡散も確実に抑制することができる。また、第１散水手段および第２散水手段をフレキシブルチューブとガイドフィンとを有する散水ノズルで構成することで、比較的少ない水量で広範囲に万遍なく水を散布することができる。
【００１０】
上記の防塵用散水装置において、第２散水手段は、例えば前記アームの後端部に配置される。前記散水ノズルが、前記噴出口の噴出方向を変更可能とする回動機構を有している構成にすると、散水ノズルによる噴出方向を容易に変更することができるので、散水ノズルによって所望の範囲に水を散布し易くなる。
【００１１】
上記の防塵用散水装置において、前記建設機械の前記散水ノズルが配置される部位と、前記散水ノズルとの間に介在する緩衝材を有する構成にすると、破砕作業時の振動や衝撃が散水ノズルに伝わり難くなるので、散水ノズルによる水の散布をより安定した状態で行うことができる。また、破砕作業時の振動や衝撃に起因する散水ノズルの故障や損傷のリスクを大幅に低減できる。
【００１２】
上記の防塵用散水装置において、前記第１散水手段および前記第２散水手段に水を供給する水供給手段を、前記建設機械の上部旋回体に設置される貯水タンクと、この貯水タンクから前記散水ノズルに水を送り込む供給ポンプと、前記建設機械の操縦席に設置され、前記供給ポンプによる水の供給のオンオフの切り替えを行うスイッチと、前記建設機械からの電力を前記供給ポンプおよび前記スイッチに供給する送電手段とで構成することもできる。この構成にすると、建設機械に対して外部から給水ホースや電源ケーブル等を接続することなく、散水することが可能になる。それ故、破砕作業の作業性を向上させるには有利になる。また、水の供給のオンオフの切り替えを行うスイッチを設けることで、建設機械のオペレーターは散水の有無を迅速に切り替えることができるので、水の使用量を低減するには有利になる。
【図面の簡単な説明】
【００１３】
【図１】本発明の防塵用散水装置を装着した建設機械によって破砕作業を行なっている状況を側面視で模式的に例示する説明図である。
【図２】図１の防塵用散水装置の配置状態を建設機械の一部を透視して平面視で例示する説明図である。
【図３】図１の第１散水手段を拡大して側面視で例示する説明図である。
【図４】図１の１本の散水ノズルで構成されたユニットを拡大して側面視で例示する説明図である。
【図５】図４のＡ矢視図である。
【図６】図１の３本の散水ノズルで構成されたユニットを拡大して側面視で例示する説明図である。
【図７】図６のＢ矢視図である。
【図８】緩衝材を設けたユニットを側面視で例示する説明図である。
【発明を実施するための形態】
【００１４】
以下、本発明の防塵用散水装置および方法を図に示した実施形態に基づいて説明する。
【００１５】
図１および図２に例示する本発明の防塵散水装置１は、アーム２４の先端部にブレーカや圧砕機などのアタッチメント２５を装着した建設機械２０に装着して使用する。使用される建設機械２０は、いわゆるバックホウやパワーショベル等であり、クローラタイプに限らずタイヤタイプの建設機械２０が使用されることも有る。
【００１６】
この実施形態の建設機械２０は、クローラタイプの走行体と、走行体に対して旋回可能に設けられた上部旋回体２１を有している。上部旋回体２１には、操縦席２２が設けられている。上部旋回体２１の前方にはブーム２３が回動可能に接続されており、ブーム２３の先端側にアーム２４が回動可能に接続されている。アーム２４の先端部には、アタッチメント２５としてブレーカが装着されている。
【００１７】
防塵散水装置１は、アタッチメント２５またはその近傍に配置される第１散水手段２と、アーム２４の長手方向に対して第１散水手段２よりも後端の位置に配置される第２散水手段３とを備えている。防塵散水装置１は、さらに、第１散水手段２と第２散水手段３に水Ｗを供給する水供給手段１２を備えている。
【００１８】
この実施形態の第１散水手段２は、１本の散水ノズル４を有する４組のユニット２ａで構成されている。４組のユニット２ａは、アタッチメント２５による破砕箇所ＣＰの四方を囲むように、アタッチメント２５に設置されている。第１散水手段２を構成する散水ノズル４の本数や配置は、アタッチメント２５のサイズ等によって適宜決定できる。第１散水手段２を構成する散水ノズル４は、例えば、アーム２４の先端部などに配置することもできる。
【００１９】
第２散水手段３は、１本の散水ノズル４を有する４組のユニット３ａと、３本の散水ノズル４を有する４組のユニット３ｂで構成されている。４組のユニット３ｂは、アーム２４の後端部に設置されている。４組のユニット３ａは、ユニット３ｂとユニット２ａとの間のアーム２４の中途の位置に設置されている。ユニット３ａ、３ｂはそれぞれ、アーム２４の前後左右の４面に１組ずつ配置されている。
【００２０】
第２散水手段３を構成する散水ノズル４の本数や配置は、建設機械２０やアタッチメント２５のサイズ等によって適宜決定することができる。第２散水手段３はアーム２４の長手方向に対して１ヶ所に散水ノズル４を配置した構成にすることも、アーム２４の長手方向に間隔をあけて複数ヶ所に散水ノズル４を配置した構成にすることもできる。第２散水手段３を構成する散水ノズル４は、例えば、ブーム２３の先端部などに配置することもできる。
【００２１】
図２に示すように、水供給手段１２は、貯水タンク１３と、貯水タンク１３から散水ノズル４に水Ｗを送り込む供給ポンプ１４と、供給ポンプ１４による水Ｗの供給のオンオフの切り替えを行うスイッチ１６と、建設機械２０からの電力を供給ポンプ１４およびスイッチ１６に供給する送電手段１７とで構成されている。貯水タンク１３と供給ポンプ１４は、上部旋回体２１上に設置されている。供給ポンプ１４とそれぞれの散水ノズル４は、配管１５によって接続されている。配管１５は建設機械２０の油圧配管に沿うように配設されている。
【００２２】
スイッチ１６は、操縦席２２の手で操作するレバーに設置されている。スイッチ１６をオンに設定することで供給ポンプ１４による水Ｗの供給が行われ、第１散水手段２および第２散水手段３からそれぞれ水Ｗが散布される。スイッチ１６をオフに切り替えると、供給ポンプ１４による水Ｗの供給は停止する。この実施形態の送電手段１７は、操縦席２２のシガーソケットからの電力を供給ポンプ１４およびスイッチ１６に供給する構成になっている。なお、水供給手段１２は、建設機械２０に対して外部から接続される給水ホースや電源ケーブルで構成してもよい。スイッチ１６としては、例えば、押ボタンスイッチや、ロッカースイッチ、トグルスイッチ等を採用できる。スイッチ１６は、操縦席２２の足元に設置されるフットスイッチにすることもできる。
【００２３】
図３に示すように、第１散水手段２および第２散水手段３を構成する散水ノズル４は、噴出口を先端に有するフレキシブルチューブ４ａと、このフレキシブルチューブ４ａの後端部に一体的に設けられた外側に張り出した薄板状のガイドフィン４ｂとを有している。
【００２４】
フレキシブルチューブ４ａおよびガイドフィン４ｂは、軟質樹脂やゴム等により形成されて柔軟性に富んでいる。噴出口の口径は、例えば、０．２ｍｍ〜３ｍｍ程度である。耐久性等を考慮すると、フレキシブルチューブ４ａおよびガイドフィン４ｂはシリコンゴムで形成するのが好ましい。フレキシブルチューブ４ａの外径は、例えば０．５ｍｍ〜５ｍｍ程度である。
【００２５】
ガイドフィン４ｂはフレキシブルチューブ４ａから外側に張り出している。ガイドフィン４ｂの厚さは、例えば２ｍｍ〜６ｍｍ程度である。この実施形態のガイドフィン４ｂは、噴出口に向かって先細になる略三角形状であり、フレキシブルチューブ４ａを中心にして対称に２つ設けられている。ガイドフィン４ｂの形状は長方形など他の形状を採用することもできる。ガイドフィン４ｂの先端は、フレキシブルチューブ４ａの長さの中央部分（長さの４０％〜６０％程度の範囲）に位置している。フレキシブルチューブ４ａの後端部には、剛体の管体４ｃが挿入されて装着されている。
【００２６】
第１散水手段２を構成するユニット２ａは、散水ノズル４と、散水ノズル４を建設機械２０に対して着脱可能にする着脱部５を有している。着脱部５は、例えば、磁石等で構成される。ユニット２ａの散水ノズル４は、着脱部５に対して固定されている。
【００２７】
図４および図５に示すように、第２散水手段を構成するユニット３ａは、散水ノズル４と、散水ノズル４の噴出口の噴出方向を変更可能とする回動機構６と、着脱部５とを有している。このユニット３ａの回動機構６は、第１接続部７、支軸部８、第２接続部９および支持部１０の４つのパーツで構成されている。
【００２８】
散水ノズル４の後端部に第１接続部７が設けられており、第１接続部７の後端部は支軸部８に対してガイドフィン４ｂの張り出す方向と平行な方向に回動可能に接続されている。支軸部８にはさらに、第２接続部９の先端部が接合されている。第２接続部９の後端部は、支持部１０に対してガイドフィン４ｂの張り出す方向と直交する方向に回動可能に接続されている。支持部１０の後端部には、着脱部５が設けられている。配管１５は支軸部８を経由して散水ノズル４に接続されている。
【００２９】
ユニット３ａでは、支持部１０に対して第２接続部９を回動させることで、ガイドフィン４ｂの張り出す方向と直交する方向に散水ノズル４の噴出方向を変更することができる。さらに、支軸部８に対して第１接続部７を回動させることで、ガイドフィン４ｂの張り出す方向と平行な方向に散水ノズル４の噴出方向を変更できる構成になっている。回動機構６は、散水ノズル４がガイドフィン４ｂの張り出す方向と直交する方向、または、ガイドフィン４ｂの張り出す方向と平行な方向のいずれか一方のみに回動可能な構成にすることもできる。
【００３０】
図６および図７に示すように、３本の散水ノズル４を有するユニット３ｂも、ユニット３ａと同じ構成の回動機構６と着脱部５を有している。ただし、ユニット３ｂでは、支軸部８に対して３本の散水ノズル４が第１接続部７を介して接続されている。このユニット３ｂでは、支持部１０に対して第２接続部９を回動させることでガイドフィン４ｂの張り出す方向と直交する方向に３本の散水ノズル４の噴出口の噴出方向を変更することができる。さらに、支軸部８に対して３本の散水ノズル４のそれぞれの第１接続部７を回動させることで、ガイドフィン４ｂの張り出す方向と平行な方向に３本の散水ノズル４の噴出口の噴出方向をそれぞれ個々に変更できる構成になっている。
【００３１】
次に、この防塵用散水装置１を用いて破砕作業時に散水する方法を説明する。
【００３２】
図１および図２に示すように、まず、第１散水手段２、第２散水手段３および水供給手段１２をそれぞれ建設機械２０の所定の位置に設置する。第１散水手段２を構成する散水ノズル４は、噴出口をアタッチメント２５による破砕箇所ＣＰに向けて設置する。ユニット２ａは、アタッチメント２５に着脱部５を装着させることで任意の位置に設置することができる。
【００３３】
第２散水手段３は、アーム２４の長手方向に対して第１散水手段２よりも後端の位置に設置する。第２散水手段３を構成する散水ノズル４の噴出方向は、第１散水手段２による散水範囲よりも外側に向けて設定する。そして、第２散水手段３の隣り合う散水ノズル４の散水範囲がオーバーラップするようにそれぞれの散水ノズル４の噴出方向を調節する。ユニット３ａ、３ｂは、アーム２４やブーム２３に着脱部５を装着させることで任意の位置に設置することができる。それぞれの散水ノズル４の噴出方向は、回動機構６により任意の方向に設定することができる。
【００３４】
第１散水手段２による散水範囲は、例えば、アタッチメント２５による破砕箇所ＣＰの中心位置から半径５０ｃｍ〜２ｍ程度の範囲に設定する。第２散水手段３による散水範囲は、例えば、第１散水手段２による散水範囲から外側に２ｍ〜５ｍ程度の範囲に設定する。第１散水手段２と第２散水手段３とのアーム長手方向の離間距離（最も近接しているユニット２ａとユニット３ａとの間隔）は、例えばアーム２４の全長の４０％以上、より好ましくは６０％以上に設定する。この実施形態では、ユニット３ａによる散水範囲をユニット２ａによる散水範囲の外側に設定し、ユニット３ｂによる散水範囲をユニット３ａによる散水範囲の外側に設定している。以上により、防塵散水装置１の設置が完了する。
【００３５】
アタッチメント２５により破砕作業を行なう際には、第１散水手段２および第２散水手段３を使用して破砕箇所ＣＰおよびその周辺に水Ｗを散布する。この実施形態では、オペレーターがスイッチ１６をオンに設定することで、貯水タンク１３に収容されている水Ｗが供給ポンプ１４によって配管１５を通じてそれぞれの散水ノズル４に供給される。散水ノズル４に水Ｗが供給されると、フレキシブルチューブ４ａおよびガイドフィン４ｂは柔軟性に富むため、散水ノズル４は水Ｗの噴出流によって上下左右に揺動しながら水Ｗを散布する。散水ノズル４にはガイドフィン４ｂが設けられているため、ノズルの周方向剛性が方向性を有している。そのため、ガイドフィン４ｂの張り出し方向よりも張り出し方向に直交する方向に大きく振幅して揺動する。
【００３６】
それぞれの散水ノズル４は、上下左右に連続的に往復運動しながら水Ｗを散布することで、雨粒程度の粒径の水滴で構成された水Ｗのカーテンを形成する。そして、第１散水手段２の周囲には、第１散水手段２の散水ノズル４により散布された水Ｗによって覆われる第１拡散防止空間Ｎ１が形成される。第２散水手段３の周囲には、第２散水手段３の散水ノズル４により散布された水Ｗによって覆われる第２拡散防止空間Ｎ２が形成される。そして、第１拡散防止空間Ｎ１を第２拡散防止空間Ｎ２が覆った状態になる。
【００３７】
この実施形態では、ユニット２ａによって形成された水Ｗのカーテンの外側を覆うように、ユニット３ａによる水Ｗのカーテンが形成され、ユニット３ａによる水Ｗのカーテンのさらに外側を覆うように、ユニット３ｂによる水Ｗのカーテンが形成される。
【００３８】
本発明によれば、第１拡散防止空間Ｎ１の外側を第２拡散防止空間Ｎ２によって包み込んだ状態となるので、第１散水手段２によって散布された水Ｗは、第２散水手段３によって散布された水Ｗにより風の影響が抑制されて、風に流され難くなる。それ故、風の影響がある場合においても、第１散水手段２により破砕箇所ＣＰおよびその近傍に確実に水Ｗを散布することができる。これにより、破砕箇所ＣＰおよびその近傍における粉塵の飛散を効果的に抑制することができる。また、破砕箇所ＣＰおよびその近傍から発生した粉塵が第１拡散防止空間Ｎ１の外側へ飛散した場合にも、その粉塵の拡散を第２拡散防止空間Ｎ２によって確実に抑制することができる。
【００３９】
さらに、破砕箇所ＣＰの近傍のみならず、破砕箇所ＣＰの周辺領域を包み込むように第２拡散防止空間Ｎ２を形成することで、破砕作業に伴う振動や、周辺の崩落などによって発生する破砕箇所ＣＰの周辺領域における粉塵の拡散も第２拡散防止空間Ｎ２によって確実に抑制することが可能となる。第２拡散防止空間Ｎ２の内側は、第２散水手段３によって散布された水Ｗにより風の影響を受け難い状態になるので、破砕時に発生する粉塵が風によって流され拡散するようなリスクも大幅に低減することができる。
【００４０】
本発明では、第１散水手段２および第２散水手段３をフレキシブルチューブ４ａとガイドフィン４ｂとを有する散水ノズル４で構成しているので、比較的少ない水量で広範囲に万遍なく水Ｗを散布することができる。散水ノズル４の１本あたりの水Ｗの使用量は、毎分０．５リットル程度である。この散水ノズル４によって散布される水滴は比較的粒径が大きいため、風に流され難い。それ故、風の影響がある場合にも、散水ノズル４により所望の範囲に水Ｗを散布することができる。
【００４１】
第１拡散防止空間Ｎ１よりも第２拡散防止空間Ｎ２の容積は大きくなるので、第１散水手段２よりも第２散水手段３により散布される単位時間当りの水量は多くなる。そのため、第１散水手段２と第２散水手段３とで使用する散水ノズル４を同じ仕様にする場合は、第１散水手段２よりも第２散水手段３を構成する散水ノズル４の数を多くする。尚、散水手段は、この実施形態のように第１と第２に限定されず、アーム２４の長手方向に間隔をあけて３つ以上の散水手段を設けた仕様にすることもできる。そして、３つ以上の拡散防止空間を形成してより外側の拡散防止空間によって内側の拡散防止空間を覆う状態にすることもできる。
【００４２】
散水ノズル４に回動機構６を設けると、散水ノズル４の噴出方向を容易に変更することが可能となるので、散水ノズル４によって所望の範囲に水Ｗを散布し易くなる。また、散水ノズル４の噴出方向を様々な方向に設定することが可能になるので、散水ノズル４の設置位置の自由度も高くなる。
【００４３】
散水ノズル４に着脱部５を設けると、散水ノズル４を建設機械２０の任意の位置に容易に設置できるので、散水ノズル４の設置作業に要する労力を大幅に低減することができる。また、散水ノズル４を仕様の異なる様々な建設機械２０に取付けることが可能になるので、非常に汎用性が高くなる。
【００４４】
水供給手段１２を、貯水タンク１３と、供給ポンプ１４と、スイッチ１６と、送電手段１７とで構成すると、建設機械２０に対して外部から給水ホースや電源ケーブル等を接続することなく、水Ｗの散布を行うことが可能になる。それ故、破砕作業の作業性を向上させるには有利になる。また、水Ｗの供給のオンオフの切り替えを行うスイッチ１６を設けることで、散水が不要な移動時や旋回時などには散水を度々停止させることが可能になる。それ故、破砕作業における水Ｗの使用量を低減するには有利になる。また、スイッチ１６を手で操作するレバーに設置することで、建設機械２０のオペレーターは、散水の有無を迅速に簡易に切り替えることが可能となる。
【００４５】
図８に例示するように、本発明では、建設機械２０の散水ノズル４が配置される部位と、散水ノズル４との間に緩衝材１１を設ける構成にすることもできる。緩衝材１１は、例えば、ゴムや樹脂等の振動を吸収する部材で構成される。図８に例示するユニット３ｃでは、先の実施形態で示したユニット３ｂの第２接続部９と着脱部５との間に緩衝材１１を設けている。その他の構成は、ユニット３ｂと同じである。緩衝材１１は、他にも例えば、着脱部５と建設機械２０との間や散水ノズル４と回動機構６との間などに設けることもできる。
【００４６】
このように、建設機械２０の散水ノズル４が配置される部位と、散水ノズル４との間に緩衝材１１を設けると、破砕作業時の振動や衝撃が散水ノズル４に伝わり難くなるので、散水ノズル４による水Ｗの散布をより安定した状態で行うことができる。また、緩衝材１１を設けることで破砕作業時の振動や衝撃に起因する散水ノズル４の故障や損傷のリスクを大幅に低減できる。
【００４７】
上述した実施形態では、着脱部５を接着させることで散水ノズル４を建設機械２０に取付ける場合を例示しているが、散水ノズル４の取付方法は特に限定されず、他にも例えば、アタッチメント２５やアーム２４に外嵌可能な金具等を介して散水ノズル４を建設機械２０に取付ける構成にすることもできる。
【符号の説明】
【００４８】
１  防塵散水装置
２  第１散水手段
２ａ  ユニット
３  第２散水手段
３ａ、３ｂ、３ｃ  ユニット
４  散水ノズル
４ａ  フレキシブルチューブ
４ｂ  ガイドフィン
４ｃ  管体
５  着脱部
６  回動機構
７  第１接続部
８  支軸部
９  第２接続部
１０  支持部
１１  緩衝材
１２  水供給手段
１３  貯水タンク
１４  供給ポンプ
１５  配管
１６  スイッチ
１７  送電手段
２０  建設機械
２１  上部旋回体
２２  操縦席
２３  ブーム
２４  アーム
２５  アタッチメント（ブレーカー）
Ｗ  水
ＣＰ  破砕箇所
Ｎ１  第１拡散防止空間
Ｎ２  第２拡散防止空間
【図１】
2018145689.tif 000003
【図２】
2018145689.tif 000004
【図３】
2018145689.tif 000005
【図４】
2018145689.tif 000006
【図５】
2018145689.tif 000007
【図６】
2018145689.tif 000008
【図７】
2018145689.tif 000009
【図８】
2018145689.tif 000010